(57)【要約】【構成】  設定済みの画面へ戻る指示を設定入力部から受け付けると、指示された設定画面を表示部に表示して再設定を受け付け、受け付けた再設定と記憶した設定内容との整合性を判別して、整合性を欠く設定内容をクリアすると共に、整合性の有る設定内容を維持する。【効果】  設定済みの画面に戻った際の、ユーザビリティが向上する。【選択図】    図５
2010166208.tif 000002
【特許請求の範囲】
【請求項１】
画像取得部と、画像記憶部と、画像出力部と、表示部と、設定入力部と、制御部とを設けて、
該制御部により、前記表示部に複数の設定画面を表示すると共に、各設定画面でのユーザの設定を設定入力部から受け付けて設定内容として記憶し、１つの設定画面での設定が完了すると、次の設定画面での設定へ遷移するようにした画像処理装置において、
設定済みの画面へ戻る指示を設定入力部から受け付けると、指示された設定画面を表示部に表示して再設定を受け付けると共に、受け付けた再設定と記憶した設定内容との整合性を判別して、整合性を欠く設定内容をクリアすると共に、整合性の有る設定内容を維持するように、前記制御部を構成したことを特徴とする画像処理装置。
【請求項２】
設定の履歴として、設定画面毎の設定内容を前記表示部に表示するように構成したことを特徴とする、請求項１の画像処理装置。
【請求項３】
前記表示部はタッチパネルで、かつ前記設定内容をアイコンとしてタッチパネルに表示すると共に、ユーザがタッチしたアイコンに対応する設定画面に戻るように構成したことを特徴とする、請求項２の画像処理装置。
【請求項４】
画像取得部と、画像記憶部と、画像出力部と、表示部と、設定入力部と、制御部とを設けて、
該制御部により、前記表示部に複数の設定画面を表示すると共に、各設定画面でのユーザの設定を設定入力部から受け付けて設定内容として記憶し、１つの設定画面での設定が完了すると、次の設定画面での設定へ遷移するようにした画像処理装置のためのプログラムであって、
前記画像処理装置に、
設定済みの画面へ戻る指示を設定入力部から受け付けると、指示された設定画面を表示部に表示して再設定を受け付けるステップと、
受け付けた再設定と記憶した設定内容との整合性を判別して、整合性を欠く設定内容をクリアすると共に、整合性の有る設定内容を維持するステップ、とを実行させる画像処理プログラム。
【発明の詳細な説明】
【技術分野】
【０００１】
この発明は、画像処理装置と画像処理プログラムとに関し、特にウィザード形式により画面遷移させるウィンドウアプリケーションでの、設定内容の変更に関する。
【背景技術】
【０００２】
基本画面から各種の設定画面へどのように遷移したのかを記憶し、表示の履歴を表示する画像処理装置が知られている（特許文献１：特開２００８−２０４２９５）。
またユーザ毎の操作履歴を記憶し、コピーなどの設定を容易にすることが、知られている（特許文献２：特開２００６−２２０９４０）。
ところで画像処理装置で、コピーやスキャン、ファクシミリ送信、保存、転送などの処理を行う場合、複数の設定画面を遷移しながら、一連の設定を行う必要がある。ここで設定内容を変更したいときは、設定内容を変更したい画面まで１画面ずつ戻って、再設定する必要がある。また基本画面Ａから中間の画面Ｂを経由して、現在の画面Ｃまで設定したところから、中間の画面Ｂまで戻ると、画面Ｂ〜Ｃでの設定内容が無効になる。従って画面Ｂでの設定後に、Ｃなどの画面まで、１画面ずつ再度設定する必要がある。
【先行技術文献】
【特許文献】
【０００３】
【特許文献１】特開２００８−２０４２９５
【特許文献２】特開２００６−２２０９４０
【発明の概要】
【発明が解決しようとする課題】
【０００４】
この発明の課題は、処理済みの設定画面に戻り再設定する場合に、それまでに設定した事項が無駄にならないようにすることにある。
【課題を解決するための手段】
【０００５】
この発明の画像処理装置は、画像取得部と、画像記憶部と、画像出力部と、表示部と、設定入力部と、制御部とを設けて、
該制御部により、前記表示部に複数の設定画面を表示すると共に、各設定画面でのユーザの設定を設定入力部から受け付けて設定内容として記憶し、１つの設定画面での設定が完了すると、次の設定画面での設定へ遷移するようにした画像処理装置において、
設定済みの画面へ戻る指示を設定入力部から受け付けると、指示された設定画面を表示部に表示して再設定を受け付けると共に、受け付けた再設定と記憶した設定内容との整合性を判別して、整合性を欠く設定内容をクリアすると共に、整合性の有る設定内容を維持するように、前記制御部を構成したことを特徴とする。
【０００６】
またこの発明のプログラムは、画像取得部と、画像記憶部と、画像出力部と、表示部と、設定入力部と、制御部とを設けて、
該制御部により、前記表示部に複数の設定画面を表示すると共に、各設定画面でのユーザの設定を設定入力部から受け付けて設定内容として記憶し、１つの設定画面での設定が完了すると、次の設定画面での設定へ遷移するようにした画像処理装置のためのプログラムであって、
前記画像処理装置に、
設定済みの画面へ戻る指示を設定入力部から受け付けると、指示された設定画面を表示部に表示して再設定を受け付けるステップと、
受け付けた再設定と記憶した設定内容との整合性を判別して、整合性を欠く設定内容をクリアすると共に、整合性の有る設定内容を維持するステップ、とを実行させる。
なおこの明細書において、画像処理装置に関する記載は、画像処理プログラムにもそのまま当てはまり、逆に画像処理プログラムに関する記載は、画像処理装置にもそのまま当てはまる。
【０００７】
この発明では、再設定した内容とそれ以前の設定内容とに整合性がある場合、それ以前の設定内容は維持されて有効である。従って、設定済みの画面に遷移した場合でも、それ以前の設定作業が無駄にならない。また再設定の内容とそれ以前の設定内容とが整合性を欠く場合は、整合性を欠く範囲で、それ以前の設定内容がクリアされて無効になるので、再設定した内容との間に不一致は生じ無い。この発明では、以上のようにして、ユーザビリティを向上させる。
【０００８】
好ましくは、設定の履歴として、設定画面毎の設定内容を前記表示部に表示する。このようにすると、どのような内容の設定を行ったかかが容易に分かり、また戻り先の設定画面も容易に指示できる。
特に好ましくは、前記表示部はタッチパネルで、かつ前記設定内容をアイコンとしてタッチパネルに表示すると共に、ユーザがタッチしたアイコンに対応する設定画面に戻る。このようにすると、変更したい設定内容に対応するアイコンにタッチすることにより、所望の設定画面へ戻ることができる。
【図面の簡単な説明】
【０００９】
【図１】実施例の複合機の構成を示す図
【図２】実施例の、設定内容の変更時のプログラムの構成を示すブロック図
【図３】実施例での、設定画面の例を示す図
【図４】実施例での、設定画面の他の例を画面を示す図
【図５】実施例での、設定変更時の処理を示すフローチャート
【発明を実施するための最良の形態】
【００１０】
以下に、発明を実施するための最適実施例を示す。
【実施例】
【００１１】
図１〜図５に、複合機２を例として、画像処理装置の実施例を示す。４は複合機２が接続されたＬＡＮで、６は外部のプリンタ、８は外部のフォルダで、適宜の文書管理サーバなどで実現する。９はルータで、インターネット１０との接続に用い、１２はパーソナルコンピュータで、モニタ１３などから複合機２を操作できる。
【００１２】
２０はバスで、２２はＬＡＮインターフェース、２４はファクシミリ処理部で、Ｇ３ファクシミリやインターネットファクシミリなどを送受信する。２６はスキャナで、原稿から画像を読み取り、プリンタ２８は画像をプリントする。そしてスキャナ２６とプリンタ２８とにより、複合機２はコピー機としても機能する。３０はタッチパネルで、ＬＣＤ３１等の表示部と、ＬＣＤ３１上にユーザがアクセスした位置を検出する位置センサ３２とを備え、複合機２の操作設定に用いる。
【００１３】
複合機２は一種のコンピュータでもあり、ＣＰＵ３４とメモリ３６とを備え、３８は制御部で、タッチパネル３０からの設定入力に従い、メモリ３４に記憶した画像の処理を制御する。なお画像の取得は、スキャナ２６の他に、ファクシミリの受信、電子メールの受信、及びファイルの転送などでも実行できる。また画像の処理とは、プリンタ６，２８でのプリント、ファクシミリ送信、フォルダ８、あるいはパーソナルコンピュータ１２への転送、並びにこれらに先行する前処理のことである。
【００１４】
制御部３８は、画面管理部４０と履歴メモリ４２と整合性判定部４４及び整合性テーブル４６とを備えている。画面管理部４０は、複数の設定画面を管理して、タッチパネル３０に表示させると共に、１つの設定画面でのタッチパネルからの設定入力が完了すると、次ぎの設定画面を表示させる。複数の設定画面はツリー構造をしており、基本画面等から分岐しながら、設定を完了させる。設定画面自体は例えばメモリ３６に記憶させ、ユーザの設定内容は、経過した設定画面毎に履歴メモリ４２に記憶する。履歴メモリ４２に記憶する設定内容を、設定画面毎にアイコンとしてタッチパネル３０に表示し、ユーザがアイコンにタッチすると、対応する設定画面へ遷移し、再設定を受け付ける。
【００１５】
受け付けた再設定の内容には、それ以前の設定内容と整合性を欠くものと、整合性の有るものとがあり、整合性判定部４４は整合性の有無を判別し、それ以前の設定内容で整合性の有るものをそのまま維持し、整合性を欠くものを履歴メモリ４２からクリアする。整合性テーブル４２は整合性の有無を判定するためのテーブルで、例えば個々の設定内容毎に、整合性の有る他の設定内容を記憶している。整合性テーブル４６を用いる代わりに、画面管理部４０で記憶したツリー構造を用い、再設定に用いた画面から辿れない設定内容が整合性を欠き、辿れるものを整合性が有るとしても良い。
【００１６】
図２に画像処理プログラム５０を示し、プログラム５０はメモリ３６に記憶されて、ＣＰＵ３４などに命令５２〜５８を実行させることにより、制御部３８を実現する。画面管理命令５２は画面管理部４０の機能を実現させ、履歴記憶命令５４は設定内容の履歴を記憶させる。整合性判定命令５６は戻り先の設定画面での再設定の内容と、それ以前の設定内容との整合性を判定して、それ以前の設定内容で整合性を欠くものを無効とし、整合性テーブル作成命令５８は、整合性テーブル４６をメモリ３６などに記憶させる。
【００１７】
図３に、ＬＣＤ３１に表示する設定画面６０を示す。設定画面６０の履歴表示領域６２には、ユーザ認証の内容（ユーザは「ゲスト」である）、原稿を読み取ったこと（「読み取り完了」）、出力形態として、原稿を集約せずまた両面を用いず、そのまま出力すること（「そのまま原稿」）、が示され、現在は処理の選択中であることが表示されている。これらの表示はアイコンによりなされ、設定画面の遷移の履歴に従って、左から右へ配置され、アイコンにアクセスすると、そのアイコンに対応する設定画面まで遷移できる。例えば「ゲスト」のアイコンにアクセスすると、ユーザ認証の設定画面に戻ることができ、「読み取り完了」のアイコンでは読み取り条件を変更し、読み取りを再実行するための設定画面へ遷移でき、「そのまま原稿」のアイコンでは集約や両面などの設定画面に遷移できる。また設定済みの画面に遷移した後の戻り先は、履歴表示領域６２のアイコンにタッチすることで選択できる。即ち履歴表示領域６２はどの設定画面へ戻るかと、戻り先の設定画面からどこに遷移するかの双方の指示に用いられる。再設定画面からの戻り先は、履歴表示領域６２のアイコンを用いず、再設定画面へ遷移する直前の設定画面としても良く、例えば図３の場合は「処理の選択」画面となる。
【００１８】
設定画面６０の左部に、「そのまま原稿」の複数枚の原稿画像が重ねて配置され、出力先のプリンタやフォルダなどを設定できる。またフォルダのアイコンなどを設定画面６０に全ては表示できないため、右側のフォルダのアイコンの表示欄に指やペンなどでタッチし、例えば上から下へと指などを移動させると、フォルダの表示が上から下へ回転し、上側に隠れていたアイコンがスライドして現れる。同様に、下から上へと指などを移動させると、下側に隠れていたアイコンがスライドして現れる。
【００１９】
設定画面６０から読み取り完了のアイコンにタッチし、読み取り条件を変更して、再度読み取りを行っても、出力形態が「そのまま原稿」であるとの設定と矛盾しないので、「そのまま原稿」の設定は有効である。
【００２０】
「そのまま原稿」を「４in１」（１ページに４枚原稿を集約）などに変更したい場合、「そのまま原稿」のアイコンにタッチし、集約条件を設定すると良い。「４in１」の設定は、出力先に依存しない複合機の内部の処理なので、それ以前に設定されていた出力先は依然として有効である。なお仮に、出力先としてＧ３ファクシミリのように両面出力をサポートしないものが設定されている状態から、「そのまま原稿」のアイコンにアクセスし、集約条件などの設定画面に遷移したとする。この場合、「ファクシミリ」の設定をユーザは取り消す意志が無いものと推定して、「そのまま原稿」、「２in１」、「４in１」などは選択できるが、「両面出力」は選択できないようにしても良い。あるいはまた、「両面出力」も選択自在にして、「両面出力」が設定されると、「ファクシミリ」の設定を無効にして、履歴表示でのファクシミリのアイコンをグレーアウトしても良い。即ち、再設定によって、無効になった設定内容や、遷移できなくなった設定画面に対応するアイコンを、履歴表示領域６２にグレーアウトして表示する。  
【００２１】
履歴表示領域６２の「ゲスト」のアイコンにタッチし、ユーザ認証の設定画面からユーザ認証を行うと、「ゲスト」から「メンバー」などに使用権限を変更できる。次ぎに「読み取り完了」〜「処理選択」のいずれかのアイコンにタッチすると、タッチされたアイコンに対応する設定画面へ遷移する。遷移後の設定画面で、使用権限の変更により可能になった処理があれば、その処理に対応するアイコンを追加して表示し、ユーザが選択できるようにする。例えばフォルダの欄に、ユーザ専用のフォルダのアイコンを表示する。
【００２２】
図４の設定画面６４では、読み取った原稿は「４in１」に集約することが設定され、画面の左側には「４in１」に縮小した原稿が表示されている。また設定画面６４は出力先の設定画面で、３枚の名刺は出力先を表し、例えば名刺を選択すると、その人に対して可能な出力形態（Ｇ３ファクシミリ、インターネットファクシミリ等）の設定画面へ遷移する。
【００２３】
設定済みのステップでの再設定の内容と、既に設定済みの設定内容との整合性を判別する。整合性を欠く場合は、既に設定済みの設定内容を無効にし、整合性が有る場合は、既に設定済みの設定内容は有効である。整合性がないのは、例えば以下の場合である。
・  カラー出力を設定した後に、モノクロのプリンタが選択された。
・  両面出力が設定された後に、Ｇ３ファクシミリが選択された。
・  印刷部数が複数枚に設定された後に、出力先がファクシミリやフォルダに変更された。
【００２４】
図５に、実施例での処理の流れを示す。ユーザは、各ステップの設定画面を用いて設定入力を行う。ユーザが設定済みの画面に戻って再設定するときは、戻り先の設定画面のアイコンをクリックする（Ｓ１）。するとクリックされたアイコンに対応する設定画面を表示する（Ｓ２）。戻り先の設定画面が、ログイン画面などの設定内容を初期化する画面の場合は、設定内容及び履歴を消去する（Ｓ３，Ｓ４）。それ以外の場合は、設定内容及び履歴を有効とする。次にユーザが設定画面から設定したい項目のアイコンをクリックし、あるいは設定内容を適宜に入力すると（Ｓ５）、再入力された設定内容と、戻り先で表示中の設定画面より後の設定画面で設定済みの設定内容との整合性を確認する（Ｓ６）。整合性の確認には、整合性テーブルを用い、ここでは整合性がないことを「禁則処理に該当する」という。整合性が無いことを検出すると、再設定した設定内容と整合性を欠くものを設定の履歴から抹消する（Ｓ７）。次ぎに履歴表示領域のアイコンへのユーザのアクセスから、次の戻り先を決定する（Ｓ８）。なお再設定画面からの戻り先は、履歴での最下位の設定画面に固定して、再設定で遷移する直前の画面に戻るようにしても良い。
【００２５】
実施例では、以下の効果が得られる。
１．履歴表示領域に、各設定画面での設定内容を示すアイコンを表示するので、ユーザは設定内容を視覚的に把握でき  また戻りたい設定画面が一目で分り、かつアイコンにタッチすると、所望の設定画面にダイレクトに戻ることができる。
２．戻った画面上から再入力した設定内容と、それ以前の設定内容との整合性の有無をチェックし、整合性が有る場合は、それ以前の設定内容を有効とするので、同じ設定を繰り返す必要がない。また整合性が無い場合、設定内容をクリアするので、整合性が無い設定が実行されることがない。
３．設定内容の変更によって、画面遷移できなくなった画面が生じると、その画面に対応するアイコンをグレーアウトするので、再設定の影響をユーザに分かりやすく表示できる。
４．履歴表示領域は、戻り先の設定画面から次ぎにどの設定画面に戻るかの指示にも用いることができる。  
【００２６】
実施例では、複合機２のタッチパネル３０から設定したが、パーソナルコンピュータ１２のモニタ１３からでも、同様に設定できる。また画像処理装置は複合機に限らず、プリンタ、スキャナなどでも良い。
【符号の説明】
【００２７】
２          複合機
４          ＬＡＮ
６          メールサーバ
８          フォルダ
９          ルータ
１０        インターネット網
１２        パーソナルコンピュータ
１３        モニタ
１４        プリンタ
２０        主制御部
２２        ＬＡＮインターフェース
２４        ファクシミリ処理部
２６        スキャナ
２８        プリンタ
３０        タッチパネル
３１        ＬＣＤ
３２        位置センサ
３４        ＣＰＵ
３６        メモリ
３８        制御部
４０        画面管理部
４２        履歴メモリ
４４        整合性判定部
４６        整合性テーブル
５０        設定プログラム
５２        画面管理命令
５４        履歴記憶命令
５６        整合性判定命令
５８        整合性テーブル作成命令
６０，６４  設定画面
６２        履歴表示領域
【図１】
2010166208.tif 000003
【図２】
2010166208.tif 000004
【図５】
2010166208.tif 000005
【図３】
2010166208.tif 000006
【図４】
2010166208.tif 000007